(57)【要約】【課題】音声信号の処理に対する設定が可能であり、実装面積の小さい音声信号処理回路を提供する。【解決手段】音声信号処理回路は、クロック信号及びクロック信号に応じた設定データが入力され、設定データを保持する保持回路と、並列に入力される第１音声信号及び第２音声信号の少なくとも何れか一方の信号に対して、保持回路の設定データに基づく処理を施す処理回路と、クロック信号に応じた第１音声信号を増幅し、クロック信号として保持回路に出力する第１増幅回路と、設定データに応じた第２音声信号を増幅し、設定データとして保持回路に出力する第２増幅回路と、を備える。【選択図】図１
2010087602.tif 000002
【特許請求の範囲】
【請求項１】
クロック信号及び前記クロック信号に応じた設定データが入力され、前記設定データを保持する保持回路と、
並列に入力される第１音声信号及び第２音声信号の少なくとも何れか一方の信号に対して、前記保持回路の前記設定データに基づく処理を施す処理回路と、
前記クロック信号に応じた前記第１音声信号を増幅し、前記クロック信号として前記保持回路に出力する第１増幅回路と、
前記設定データに応じた前記第２音声信号を増幅し、前記設定データとして前記保持回路に出力する第２増幅回路と、
を備えることを特徴とする音声信号処理回路。
【請求項２】
請求項１に記載の音声信号処理回路であって、
前記第１増幅回路は、
前記第１音声信号の直流レベルを所定レベルの第１電圧にレベルシフトする第１レベルシフト回路と、
レベルシフトされた前記第１音声信号と所定レベルの第２電圧とを比較し、比較結果に応じて前記クロック信号を前記保持回路に出力する第１比較回路と、
を含み、
前記第２増幅回路は、
前記第２音声信号の直流レベルを所定レベルの第３電圧にレベルシフトする第２レベルシフト回路と、
レベルシフトされた前記第２音声信号と所定レベルの第４電圧とを比較し、比較結果に応じて前記設定データを前記保持回路に出力する第２比較回路と、
を含むことを特徴とする音声信号処理回路。
【請求項３】
請求項２に記載の音声信号処理回路であって、
前記所定レベルの第１電圧と、前記所定レベルの第２電圧とは異なるレベルの電圧であり、
前記所定レベルの第３電圧と、前記所定レベルの第４電圧とは異なる電圧であること、
を特徴とする音声信号処理回路。
【発明の詳細な説明】
【技術分野】
【０００１】
本発明は、音声信号処理回路に関する。
【背景技術】
【０００２】
近年、携帯用音楽再生装置等に保存した音楽データを、例えばカーステレオで再生するために、ＦＭ（Frequency Modulation）送信回路が用いられている（例えば、特許文献１、または特許文献２参照）。
【０００３】
図５に、音声信号を送信するための、ＦＭ送信回路３００を用いた送信装置２００の構成の一例を示す。ＦＭ送信回路３００における搬送波の周波数は、混信を避けるために周辺で使用されているＦＭラジオ等の周波数を考慮して決定される必要がある。したがって、まず利用者は、ＦＭ送信回路３００における搬送波の周波数を設定する必要がある。具体的には、利用者は、設定装置３１０の表示画面（不図示）に表示された搬送波の周波数が、所望の周波数となるように設定装置３１０のキー（不図示）を操作する。さらに、搬送波の周波数が決定されると、マイコン３２０へ搬送波の周波数データが出力されるよう、利用者は設定装置３１０のキー（不図示）を操作する。マイコン３２０は、設定装置３１０からの周波数データを、クロック信号ＳＣＬに同期したシリアルデータＳＤＡとしてＦＭ送信回路３００へ出力する。ＦＭ送信回路３００は、音楽再生装置３３０から入力される音声信号ＲＩＮ，ＬＩＮに基づいたステレオコンポジット信号と、マイコン３２０から入力されるシリアルデータＳＤＡに基づいた周波数の搬送波とを生成し、搬送波をステレオコンポジット信号により変調することにより、出力信号ＯＵＴとしてアンテナ（不図示）へ出力する。なお、抵抗４００，４１０は夫々クロック信号ＳＣＬ及びシリアルデータＳＤＡのプルアップ抵抗である。
【特許文献１】特開２００６−２６２５２１号公報
【特許文献２】特開２００７−８８６５７号公報
【発明の開示】
【発明が解決しようとする課題】
【０００４】
前述の送信装置２００においては、ＦＭ送信回路３００の他に、ＦＭ送信回路３００における搬送波の周波数を設定するための、設定装置３１０及びマイコン３２０が必要である。一般的に、設定装置３１０は、搬送波の周波数を表示させる表示画面（不図示）及び表示画面を駆動する駆動回路等を備え、マイコン３２０は、ＦＭ送信回路３００とは別チップで構成される。さらに、一般的な送信装置２００においては、例えば、利用者がＦＭ送信回路３００の送信電力を設定する場合も、前述の搬送波の周波数を設定する場合と同様にマイコン３２０等が必要となる。したがって、送信装置２００の実装面積が大きくなるという課題があった。
【０００５】
本発明は上記課題を鑑みてなされたものであり、音声信号の処理に対する設定が可能であり、実装面積の小さい音声信号処理回路を提供することを目的とする。
【課題を解決するための手段】
【０００６】
上記目的を達成するため、本発明の一つの側面に係る音声信号処理回路は、クロック信号及び前記クロック信号に応じた設定データが入力され、前記設定データを保持する保持回路と、並列に入力される第１音声信号及び第２音声信号の少なくとも何れか一方の信号に対して、前記保持回路の前記設定データに基づく処理を施す処理回路と、前記クロック信号に応じた前記第１音声信号を増幅し、前記クロック信号として前記保持回路に出力する第１増幅回路と、前記設定データに応じた前記第２音声信号を増幅し、前記設定データとして前記保持回路に出力する第２増幅回路と、を備えることとする。
【発明の効果】
【０００７】
入力された音声信号の処理に対する設定が可能であり、実装面積の小さい音声信号処理回路を提供することができる。
【発明を実施するための最良の形態】
【０００８】
本明細書および添付図面の記載により、少なくとも以下の事項が明らかとなる。
【０００９】
図１は、本発明の一実施形態であるＦＭ送信回路１０の構成を示す図である。ＦＭ送信回路１０は、音楽再生装置２０から入力される音声信号ＲＩＮ（第１音声信号），ＬＩＮ（第２音声信号）を、例えばカーステレオ（不図示）に送信するための回路である。なお、本実施形態においては、音声信号ＲＩＮ，ＬＩＮは夫々、ステレオ音声信号のうち右側の音声信号と左側の音声信号に相当することとし、ＦＭ送信回路１０は、集積回路であることとする。
【００１０】
まず、ＦＭ送信回路１０を構成する各回路の概要を説明する。ＦＭ送信回路（音声信号処理回路）１０は、音声信号増幅回路３０，３１、第１設定回路４０、出力回路４１、端子８０〜８２から構成される。
【００１１】
音声信号増幅回路３０（第１増幅回路）は、コンデンサ２１及び端子８０を介して入力される音声信号ＲＩＮを、シフトレジスタ５０が保持するデータを更新可能な論理レベルに増幅し、クロック信号ＳＣＬＫとして出力する回路である。
【００１２】
音声信号増幅回路３１（第２増幅回路）は、コンデンサ２２及び端子８１を介して入力される音声信号ＬＩＮを、シフトレジスタ５０が保持するデータを更新可能な論理レベルに増幅し、データＳＤＡとして出力する回路である。なお、詳細は後述するが、本実施形態において、音声信号増幅回路３１は、コンデンサ２２及び端子８１を介して音声信号ＬＩＮが入力されること以外、音声信号増幅回路３０と同様の構成であることとする。
【００１３】
第１設定回路４０（保持回路）は、クロック信号ＳＣＬＫ及びデータＳＤＡに基づいて、ＦＭ送信回路１０から出力される出力信号ＯＵＴの周波数、レベル等を設定するためのラッチデータＬＤを出力回路４１に出力する回路である。第１設定回路４０は、シフトレジスタ５０、アドレスデコーダ５１、及びラッチ回路５２を含んで構成される。
【００１４】
出力回路４１（処理回路）は、音楽再生装置２０からコンデンサ２１，２２及び端子８０，８１を介して入力される音声信号ＲＩＮ，ＬＩＮに、第１設定回路４０から入力されるラッチデータＬＤに基づいた処理を施す回路である。なお、音声信号ＲＩＮ，ＬＩＮは、例えば、カーステレオ（不図示）にて受信できるよう、変調、増幅等の処理が施され、端子８２に接続されたアンテナ（不図示）から出力信号ＯＵＴとして出力される。出力回路４１は、第２設定回路６０、ステレオ変調回路６１、周波数変調回路６２、及びパワーアンプ６３を含んで構成される。
【００１５】
つぎに、ＦＭ送信回路１０を構成する各回路の詳細について説明する。  
音声信号増幅回路３０は、図２に示すように、抵抗１００，１０１、電圧源１１０，１１１、バイアス電流源１１２、ＮＰＮトランジスタ１２０〜１２３、ＰＮＰトランジスタ１３０〜１３３を含んで構成される。
【００１６】
音声信号ＲＩＮが一端に入力されるコンデンサ２１の他端は、端子８０を介して抵抗１００の一端と、ＮＰＮトランジスタ１２０のベースとに接続されている。また、抵抗１００の他端には、所定レベルの電圧Ｖ１を生成する電圧源１１０が接続されている。本実施形態ではＮＰＮトランジスタ１２０のベース電流が十分小さくなるよう設計されているため、コンデンサ２１から端子８０を介して流れる電流は、抵抗１００及び電圧源１１０に流れることとなる。このため、コンデンサ２１に入力される音声信号ＲＩＮは、直流レベルが電圧Ｖ１にシフトされて、端子８０と抵抗１００の一端とが接続されたノードに生じることとなる。つまり、抵抗１００及び電圧源１１０は、音声信号ＲＩＮの直流レベルを電圧Ｖ１にレベルシフトするレベルシフト回路である。なお、本実施形態では、直流レベルが電圧Ｖ１にレベルシフトされた音声信号ＲＩＮを音声信号ＲＩＮ１とする。また、本実施形態の抵抗１００、電圧源１１０が本発明における第１レベルシフト回路に相当し、電圧Ｖ１が本発明の第１電圧に相当する。
【００１７】
抵抗１０１の一端はＮＰＮトランジスタ１２１のベースに接続され、抵抗１０１の他端は電圧Ｖ２を生成する電圧源１１１に接続されている。本実施形態ではＮＰＮトランジスタ１２１のベース電流も十分小さくなるよう設計されているため、電圧Ｖ２がＮＰＮトランジスタ１２１のベースに印加される電圧となる。なお、本実施形態における電圧Ｖ２は、電圧Ｖ１よりも低い電圧であることとする。また、本実施形態における所定レベルの電圧Ｖ２が本発明の所定レベルの第２電圧に相当する。
【００１８】
バイアス電流源１１２、ＮＰＮトランジスタ１２０〜１２３、及びＰＮＰトランジスタ１３０〜１３３はコンパレータを構成する。詳述すると、ＮＰＮトランジスタ１２０のベース電圧がＮＰＮトランジスタ１２１のベース電圧よりも高い場合、ＮＰＮトランジスタ１２０はオンし、ＮＰＮトランジスタ１２１はオフする。このため、ダイオード接続されたＰＮＰトランジスタ１３０には、バイアス電流源１１２の電流Ｉ１が流れることとなる。一方、ダイオード接続されたＰＮＰトランジスタ１３１はオフされる。本実施形態のＰＮＰトランジスタ１３０とＰＮＰトランジスタ１３２とは、サイズ比の等しいカレントミラー回路を構成する。したがって、ＰＮＰトランジスタ１３２は、ダイオード接続されたＮＰＮトランジスタ１２２に電流Ｉ１を供給する。ダイオード接続されたＮＰＮトランジスタ１２２のベース電圧と、ＮＰＮトランジスタ１２３のベース電圧とは共通であるため、ＮＰＮトランジスタ１２３はオンすることとなる。また、ＰＮＰトランジスタ１３１，１３３もＰＮＰトランジスタ１３０，１３２と同様に、サイズ比の等しいカレントミラー回路を構成する。このため、ＰＮＰトランジスタ１３３はＰＮＰトランジスタ１３１と同様にオフする。したがって、ＮＰＮトランジスタ１２３のコレクタと、ＰＮＰトランジスタ１３３のコレクタとが接続されたノードから出力されるクロック信号ＳＣＬＫはローレベル（以下、Ｌレベル）となる。
【００１９】
一方、ＮＰＮトランジスタ１２０のベース電圧がＮＰＮトランジスタ１２１のベース電圧より低い場合、ＮＰＮトランジスタ１２０はオフし、ＮＰＮトランジスタ１２１はオンする。このため、ＰＮＰトランジスタ１３０はオフし、ＰＮＰトランジスタ１３１はオンするため電流Ｉ１はＰＮＰトランジスタ１３１に流れることとなる。また、ＰＮＰトランジスタ１３０がオフすると、ＰＮＰトランジスタ１３２もオフするため、結果的にＮＰＮトランジスタ１２２，１２３もオフすることとなる。さらに、ＰＮＰトランジスタ１３１がオンすると、ＰＮＰトランジスタ１３３はオンする。この結果、前述とは逆に、クロック信号ＳＣＬＫはハイレベル（以下、Ｈレベル）となる。なお、本実施形態のバイアス電流源１１２、ＮＰＮトランジスタ１２０〜１２３、及びＰＮＰトランジスタ１３０〜１３３が本発明の第１比較回路に相当する。
【００２０】
ここで、音楽再生装置２０から音声信号ＲＩＮが出力された際の音声信号増幅回路３０の動作の一例を、図３を参照しつつ説明する。ここでは、時刻Ｔ０から時刻Ｔ１までの間、音声信号ＲＩＮが音楽再生装置２０から出力されることとする。さらに、本実施形態では、音声信号ＲＩＮは所定の振幅で音楽再生装置２０から出力されることとし、レベルシフトされた音声信号ＲＩＮ１の振幅範囲に電圧Ｖ２が入るよう、電圧Ｖ２が設定されていることとする。前述のように、電圧Ｖ２は電圧Ｖ１より低く設定されているため、音声信号ＲＩＮが出力される時刻Ｔ０より前では、クロック信号ＳＣＬＫはＬレベルとなる。時刻Ｔ０から時刻Ｔ１までの間に音声信号ＲＩＮが入力されると、直流レベルが電圧Ｖ１にレベルシフトされた音声信号ＲＩＮ１が生じる。このため、音声信号ＲＩＮ１のレベルが電圧Ｖ２より高い場合、クロック信号ＳＣＬＫはＬレベルとなり、音声信号ＲＩＮ１のレベルが電圧Ｖ２より低い場合、クロック信号ＳＣＬＫはＨレベルとなる。つまり、音声信号ＲＩＮが出力されると、音声信号増幅回路３０は所定の振幅の音声信号ＲＩＮを増幅するとともに反転し、振幅が電源電圧ＶＣＣとなる論理レベルのクロック信号ＳＣＬＫを出力することとなる。
【００２１】
音声信号増幅回路３１は、コンデンサ２２及び端子８１を介して音声信号ＬＩＮが入力されること以外、音声信号増幅回路３０と同様の構成であり、音声信号増幅回路３０と同様に抵抗１００，１０１、電圧源１１０，１１１、バイアス電流源１１２、ＮＰＮトランジスタ１２０〜１２３、ＰＮＰトランジスタ１３０〜１３３を含んで構成される。したがって、音声信号増幅回路３１は、音楽再生装置２０から出力される音声信号ＬＩＮを増幅するとともに反転し、論理レベルのデータＳＤＡを出力することとなる。また、音声信号増幅回路３１において、抵抗１００及び電圧源１１０が本発明の第２レベルシフト回路に相当し、バイアス電流源１１２、ＮＰＮトランジスタ１２０〜１２３、及びＰＮＰトランジスタ１３０〜１３３が本発明の第２比較回路に相当する。
【００２２】
第１設定回路４０におけるシフトレジスタ５０は、ｎビットのレジスタからなり、クロック信号ＳＣＬＫの立ち上がり時に、データＳＤＡを順次シフトするとともに、保持する回路である。また、シフトレジスタ５０は、保持されたｎビットのデータのうち、時間的に早く入力されたｎ１ビットのデータをアドレス選択信号ＡＯとしてアドレスデコーダ５１に出力し、時間的に遅く入力されたｎ２ビットのデータを設定データＤＯとしてラッチ回路５２に出力する。
【００２３】
アドレスデコーダ５１には、ｎ１ビットの所定のアドレスが割り振られていることとし、アドレス選択信号ＡＯが所定のアドレスと一致する場合、ラッチ回路５２が保持するデータを更新するためのデコード信号ＤＥＣを、ラッチ回路５２へ出力する。
【００２４】
ラッチ回路５２は、デコード信号ＤＥＣが出力された場合、シフトレジスタ５０から出力されるｎ２ビットの設定データＤＯをラッチし、設定データＤＯをラッチデータＬＤとして出力回路４１へ出力する。
【００２５】
出力回路４１における第２設定回路６０は、ラッチ回路５２から入力されるｎ２ビットのラッチデータＬＤのうち、所定のｎ３ビットのデータを第１設定信号ＳＥＴ１としてステレオ変調回路６１に出力し、所定のｎ４ビットのデータを第２設定信号ＳＥＴ２として周波数変調回路６２に出力し、所定のｎ５ビットのデータを第３設定信号ＳＥＴ３としてパワーアンプ６３に出力する回路である。
【００２６】
ステレオ変調回路６１は、音楽再生装置２０から入力される音声信号ＲＩＮ，ＬＩＮを、ｎ３ビットの第１設定信号ＳＥＴ１に基づいたレベルとした後、ステレオコンポジット信号ＳＯ生成する回路である。なお、本実施形態のステレオ変調回路６１には、ｎ３ビットの第１設定信号ＳＥＴ１に基づいて、音声信号ＲＩＮ，ＬＩＮのレベルを減衰可能なアッテネータ（不図示）が含まれていることとする。
【００２７】
周波数変調回路６２は、ｎ４ビットの第２設定信号ＳＥＴ２に基づいた周波数の搬送波を生成し、搬送波をステレオ変調回路６１からのステレオコンポジット信号ＳＯで変調する回路である。なお、本実施形態において、ステレオコンポジット信号ＳＯにより変調された搬送波は変調信号ＭＯＤとする。
【００２８】
パワーアンプ６３は、ｎ５ビットの第３設定信号ＳＥＴ３に基づいた増幅率で変調信号ＭＯＤの電力を増幅し、端子８２に接続されたアンテナ（不図示）から出力信号ＯＵＴとして出力する回路である。
【００２９】
なお、本実施形態においては、前述の様に、ステレオ変調回路６１、周波数変調回路６２、パワーアンプ６３の夫々の回路の状態を設定可能な構成としているが、ラッチデータＬＤが更新される度に全ての回路の状態を変更する必要はない。すなわち、ステレオ変調回路６１、周波数変調回路６２、パワーアンプ６３のうち、１つまたは２つの回路の状態を変更することも可能である。具体的には、例えば、パワーアンプ６３における増幅率のみを変更する場合は、既に保持されているラッチデータＬＤのうち、第１設定信号ＳＥＴに対するｎ３ビットのデータと、第２設定信号ＳＥＴ２に対するｎ４ビットのデータとが変更されず、第３設定信号ＳＥＴ３に対するｎ５ビットのデータのみが変更されたデータが、新たなラッチデータＬＤとして、ラッチ回路５２に更新されれば良い。
【００３０】
＜＜ＦＭ送信回路１０の動作＞＞
ここで、本実施形態におけるＦＭ送信回路１０の動作について、図４を適宜参照しつつ説明する。
【００３１】
なお、以下の本実施形態においては、シフトレジスタ５０は１０ビットとし、シフトレジスタ５０に入力されるデータのうち、時間的に早く入力された４ビットをアドレス選択信号ＡＯ、時間的に遅く入力された６ビットを設定データＤＯであるとして説明する。また、６ビットの設定データＤＯのうち、アドレス選択信号ＡＯに続きシフトレジスタ５０に入力される２ビットをアッテネータ（不図示）の減衰量を設定するためのデータ、つぎの２ビットを搬送波の周波数を設定するためのデータ、最後の２ビットをパワーアンプ６３の増幅率を設定するためのデータとする。
【００３２】
さらに、アドレスデコーダ５１に割り当てられたアドレスを、例えば（１，０，１，０）とし、以下、本実施形態では第１アドレスデータＡＤ１とする。また、アッテネータ（不図示）の所望の減衰量に対するデータを、例えば（１，１）、搬送波の所望の周波数に対するデータを、例えば（０，１）、パワーアンプ６３の所望の増幅率に対するデータを、例えば（１，０）であることとする。したがって、本実施形態において上記の所望のデータが、ステレオ変調回路６１、周波数変調回路６２、パワーアンプ６３の夫々に設定されるためには、第１設定回路４０には、クロック信号ＳＣＬＫの立ち上がり時に、データ（１，０，１，０）とデータ（１，１）、（０，１）、（１，０）とが、順次データＳＤＡとしてシフトレジスタ５０に入力される必要がある。なお、本実施形態では、ステレオ変調回路６１、周波数変調回路６２、パワーアンプ６３の各回路に所望の設定をするために順次入力されるデータ（１，１）、（０，１）、（１，０）を纏めて、第１データＤ１（１，１，０，１，１，０）とする。
【００３３】
また、前述の様に、音声信号増幅回路３０，３１の夫々は、レベルシフトされた音声信号ＲＩＮ１，ＬＩＮ１を増幅するとともに反転し、クロック信号ＳＣＬＫ、データＳＤＡとして出力する。したがって、データＳＤＡとして第１アドレスデータＡＤ１及び第１データＤ１がクロック信号ＳＣＬＫの立ち上がり時に音声信号増幅回路３０，３１から出力されるためには、反転したクロック信号ＳＣＬＫの立下り時に、第１アドレスデータＡＤ１及び第１データＤ１の各ビットを反転したデータが音声信号ＬＩＮとして、音声信号増幅回路３１に入力される必要がある。本実施形態では、第１アドレスデータＡＤ１の各ビットを反転したデータ（０，１，０，１）を、第２アドレスデータＡＤ２とし、第１データＤ１の各ビットを反転したデータ（０，０，１，０，０，１）を第２データＤ２とする。また、本実施形態の音楽再生装置２０には、音声信号ＲＩＮとして出力される所定クロック信号の立ち下がりに同期して、第２アドレスデータＡＤ２及び第２データＤ２が音声信号ＬＩＮとして出力されるよう、設定用音楽ファイルが予め保存されていることとする。
【００３４】
まず、利用者は、図１に示す音楽再生装置２０を操作し、音楽再生装置２０に保存された前述の設定用音楽ファイルを読み出して再生する。その結果、音楽再生装置２０からは、音声信号ＲＩＮとして所定クロック信号が、音声信号ＬＩＮとして第２アドレスデータＡＤ２及び第２データＤ２が夫々出力されることとなる。音声信号ＲＩＮ，ＬＩＮは、前述のようにそれぞれ直流レベルが電圧Ｖ１にシフトされた音声信号ＲＩＮ１，ＬＩＮ１となる。また、音声信号増幅回路３０，３１は、音声信号ＲＩＮ１，ＬＩＮ１の夫々を増幅するとともに反転して出力する。したがって、音声信号増幅回路３０からはクロック信号ＳＣＬＫが出力され、音声信号増幅回路３１からは、クロック信号ＳＣＬＫの立ち上がりに同期して、第１アドレスデータＡＤ１及び第１データＤ１がデータＳＤＡとして出力されることとなる。このため、第１設定回路４０におけるシフトレジスタ５０には、第１アドレスデータＡＤ１に続き、第１データＤ１が順次入力される。第１アドレスデータＡＤ１は、アドレスデコーダ５１に割り当てられたアドレスと一致するよう設定されているため、第１アドレスデータＡＤ１及び第１データＤ１が全てシフトレジスタ５０に保持されると、アドレスデコーダ５１は、デコード信号ＤＥＣを出力する。また、シフトレジスタ５０は、第１データＤ１を設定データＤＯとしてラッチ回路５２へ出力し、ラッチ回路５２は、デコード信号ＤＥＣが入力されると、ラッチデータＬＤとして第１データＤ１を出力回路４１の第２設定回路６０へ出力することとなる。したがって、第２設定回路６０は、第１データＤ１に基づき、第１設定信号ＳＥＴ１、第２設定信号ＳＥＴ２、第３設定信号ＳＥＴ３を、ステレオ変調回路６１、周波数変調回路６２、パワーアンプ６３の夫々に出力するため、前述の各回路には、所望の状態が設定される。そして利用者は、音楽再生装置２０に保存された所望の音楽ファイルを選択し、所望の音楽ファイルに基づいた音声信号ＲＩＮ，ＬＩＮが音楽再生装置２０から出力されるよう、音楽再生装置２０を操作する。この結果、出力回路４１は、音声信号ＲＩＮ，ＬＩＮに応じたステレオコンポジット信号ＳＯで、所望の周波数の搬送波を変調し、所望のレベルの出力信号ＯＵＴをアンテナ(不図示)へ出力することとなる。すなわち、選択された音楽ファイルは、カーステレオ（不図示）で再生されることとなる。なお、一般に音楽ファイルを再生した際の音声信号ＬＩＮに基づくデータＳＤＡが第２アドレスデータＡＤ２と一致し、音楽ファイルを再生した際に出力されるクロック信号ＳＣＬＫに同期してシフトレジスタ５０に入力される可能性は低い。したがって、音楽ファイルが再生されている間に誤ってラッチデータＬＤが更新される可能性は低い。つまり、本実施形態のＦＭ送信回路１０は、設定用音楽ファイルが再生された場合のみ、その設定が変更される。
【００３５】
以上に説明した構成からなる本実施形態のＦＭ送信回路１０は、音楽再生装置２０から、音声信号ＲＩＮとして所定クロック信号を、音声信号ＬＩＮとして第２アドレスデータＡＤ２及び第２データＤ２を入力させることにより、ＦＭ送信回路１０に入力される音声信号ＲＩＮ，ＬＩＮの減衰量、搬送波の周波数、変調信号ＭＯＤの増幅率を設定可能である。一般的に、ＦＭ送信回路における前述の周波数等を設定するためには、マイコンが必要となる。また、搬送波の周波数を設定するためには、例えば、特開２００７−８８６５７号公報に記載されている様に、搬送波の周波数を設定するための設定装置、搬送波の周波数を表示させる表示画面（不図示）及び表示画面を駆動する駆動回路等を備える必要がある。本実施形態のＦＭ送信回路１０は、前述の一般的な送信装置と比較すると、実装面積を小さくできる。また、前述の搬送波の周波数を表示させる表示画面等も不要であるため、コストも削減可能である。また、音楽再生装置２０から出力される音声信号ＲＩＮ，ＬＩＮの振幅レベルは、利用者が利用する音楽再生装置２０により異なる。本実施形態のＦＭ送信回路１０は、音声信号ＲＩＮ，ＬＩＮのレベルを夫々増幅し、クロック信号ＳＣＬＫ、データＳＤＡとして出力する音声信号増幅回路３０，３１を含んで構成される。したがって、例えば、音楽再生装置２０から出力される音声信号ＲＩＮ，ＬＩＮの振幅レベルが小さい場合であっても、確実にシフトレジスタ５０が保持するデータを更新可能なクロック信号ＳＣＬＫ，データＳＤＡを出力することが可能である。
【００３６】
また、例えば、コンデンサ２１を介して入力される音声信号ＲＩＮを、所定のしきい値を有するインバータを用いてクロック信号ＳＣＬＫに変換する場合、音声信号ＲＩＮの振幅レベルが所定のしきい値レベルより小さいと、所望のクロック信号ＳＣＬＫを得られないという問題がある。本実施形態の音声信号増幅回路３０は、音声信号ＲＩＮの直流レベルを電圧Ｖ１にレベルシフトした音声信号ＲＩＮ１と電圧Ｖ２とを比較し、比較結果に応じてクロック信号ＳＣＬＫを出力している。また、レベルシフトされた音声信号ＲＩＮ１の振幅範囲に電圧Ｖ２が入るよう、電圧Ｖ２が設定されており、音声信号増幅回路３１も同様の構成である。このため、本実施形態では、音声信号ＲＩＮ，ＬＩＮの振幅レベルが小さい場合であっても、確実にシフトレジスタ５０が保持するデータを更新可能なクロック信号ＳＣＬＫ、データＳＤＡを出力できる。
【００３７】
また、例えば、電圧Ｖ１と電圧Ｖ２との電圧レベルが同じである場合、音声信号ＲＩＮ，ＬＩＮが入力されていない期間であっても端子８０，８１にノイズが入力されると、音声信号増幅回路３０，３１の出力が変化し、例えば、シフトレジスタ５０が誤動作する可能性がある。本実施形態では、電圧Ｖ２を電圧Ｖ１より低い電圧レベルに設定しているため、端子８０，８１にノイズが入力した場合であっても、前述した誤動作を防ぐことが可能である。
【００３８】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００３９】
本実施系形態の音声信号増幅回路３０は、図２に示すような構成で実現されることとしているが、例えば、一般的なオペアンプを用いた反転増幅回路で構成されることとしても良い。音声信号増幅回路３０を反転増幅回路で構成する際には、反転増幅回路の利得を大きくすることにより、レベルの小さい音声信号ＲＩＮが入力された場合であっても、音声信号ＲＩＮは増幅され、論理レベルのクロック信号ＳＣＬＫが出力される。
【００４０】
本実施形態の出力回路４１は、ラッチデータＬＤに基づいて、ステレオ変調回路６１におけるアッテネータ（不図示）の減衰量、周波数変調回路６２における搬送波の周波数、パワーアンプ６３の増幅率が設定される構成としているがそれに限定されるものではない。例えば、出力回路４１が、基準電流に応じたバイアス電流を、出力回路４１を構成する各回路に供給するバイアス電流回路（不図示）を含む構成とし、ラッチデータＬＤに基づいて、バイアス電流回路（不図示）の基準電流値が設定される構成としても良い。この場合、例えば、ラッチデータＬＤに基づいて第２設定回路６０が、基準電流の値がゼロになるよう設定すると、出力回路４１の消費電流は抑制される。また、ラッチデータＬＤに基づいて、第２設定回路６０が、ステレオ変調回路６１からの出力されるステレオコンポジット信号ＳＯを、ステレオ信号からモノラル信号に変更可能な構成としても良い。
【００４１】
また、本実施形態のステレオ変調回路６１のアッテネータ（不図示）は、入力される音声信号ＲＩＮ，ＬＩＮのレベルをラッチデータＬＤに基づいて共に減衰させることとしているが、例えば、アッテネータ（不図示）を、音声信号ＲＩＮ，ＬＩＮの夫々のレベルを減衰可能なように、第１アッテネータ（不図示）、第２アッテネータ（不図示）と二つ設け、ラッチデータＬＤに基づいて、二つ設けられたアッテネータそのうちの一方のアッテネータの減衰量のみを変更することとしても良い。
【図面の簡単な説明】
【００４２】
【図１】本発明の一実施形態であるＦＭ送信回路１０の構成を示す図である。
【図２】音声信号増幅回路３０，３１の一実施形態を示す図である。
【図３】音声信号増幅回路３０の動作を説明するための図である。
【図４】ＦＭ送信回路１０の動作を説明するための図である。
【図５】送信装置の構成を示す図である。
【符号の説明】
【００４３】
１０  ＦＭ送信回路
２０  音楽再生装置
２１，２２  コンデンサ
３０，３１  音声信号増幅回路
４０  第１設定回路
４１  出力回路
５０  シフトレジスタ
５１  アドレスデコーダ
５２  ラッチ回路
６０  第２設定回路
６１  ステレオ変調回路
６２  周波数変調回路
６３  パワーアンプ
８０〜８２  端子
１００，１０１  抵抗
１１０，１１１  電圧源
１１２  バイアス電流源
１２０〜１２３   ＮＰＮトランジスタ
１３０〜１３３  ＰＮＰトランジスタ
【図１】
2010087602.tif 000003
【図２】
2010087602.tif 000004
【図３】
2010087602.tif 000005
【図４】
2010087602.tif 000006
【図５】
2010087602.tif 000007